(57)【要約】【課題】利用者が目視可能な容器本体胴部の内側空間域のシンプル化や美観化を図ることを目的とする。【解決手段】内側空間域が外部から目視できるいわゆる透明性状の容器本体１に、上流弁および下流弁を備えたハウジング２がその下側底面部分まで容器本体口部に入り込む態様で配設されている。ハウジング２の下側底面部分は容器本体胴部１ｂの天井面部分と略面一である。これにより利用者が容器本体胴部１ｂから目視するのは略チューブ１４および収容内容物のみとなり、ハウジング２の本体部分はこの目視対象から捨象される。上流弁として板状弁を用い、下流弁付勢性用のコイルスプリングを上流弁と下流弁との間の貯留空間域ではなくその外側に設定している。【選択図】図１
2020117256.tif 000002
【特許請求の範囲】
【請求項１】
ハウジング内部の上流弁および下流弁の弁作用により容器本体の内容物が外部空間域に放出される内容物放出構造において、
前記容器本体は、
その中が外部から目視できる性状のもので、開口した口部およびこの下方に続く内容物収容用の胴部を備え、
前記ハウジングは、
その下側底面部分まで前記口部に配設された状態で取り付けられている、
ことを特徴とする内容物放出構造。
【請求項２】
前記下流弁は、
前記上流弁と前記下流弁との間の内容物貯留空間域の外側に設定された弾性部材でその閉状態に付勢される、
ことを特徴とする請求項１記載の内容物放出構造。
【請求項３】
前記上流弁は、
板状の弾性部材である、
ことを特徴とする請求項１または請求項２記載の内容物放出構造。
【請求項４】
請求項１乃至３のいずれかに記載の内容物放出構造を備えて内容物を収容した、
ことを特徴とするポンプ式製品。
【発明の詳細な説明】
【技術分野】
【０００１】
本発明は、透明容器本体に収容した香水や虫除け剤などの各種内容物を外部へ放出する内容物放出構造における、ポンプ式の上流弁および下流弁などを保持するハウジングの透明容器本体での配設位置に関する。
【０００２】
特に、内容物収容の内部空間域が外側から目視できる可視状態となる性状のガラス瓶，プラスチック容器などの透明容器本体の例えば円筒状の口部に、上記ハウジングの下側底面部分までを配設したものである。
【０００３】
すなわち、上記ハウジングを、透明容器本体の上端側口部の下方に続くいわば広径の胴部に略入り込まない形に位置設定している。
【０００４】
なお、本明細書では内部可視状態の容器本体を「透明容器本体，透明な容器本体」という。この容器本体にはいわゆる半透明のものも含まれる。
【０００５】
透明容器本体上端側の口部（円筒状部分）には一般に不透明のキャップ，カバー体などが取り付けられるので、この口部の外周面部分などが利用者から目視されることは生じない。一方この口部の下方に続く内容物収容胴部は利用者の目視対象である。
【０００６】
本発明は、ハウジングを、そのチューブ取付け部以外の部分が略すべて利用者の目視対象としての透明容器本体の胴部内側空間域に配設されない、態様に設定している。
【０００７】
ハウジング底側から上方に続くハウジング胴部分（不透明）を収容した形の透明容器本体口部は不透明キャップや不透明カバーで覆われている。
【０００８】
これにより、透明容器本体の胴部内側の上斜めなどからの目視内容は概略図１に示すように放出対象内容物および内容物吸込み用のチューブなどのみであって、胴部内側空間域全体のシンプル化や機能美化を図っている。
【０００９】
また、上流弁をボール弁ではなく上下方向スペースの小さい板状弁とし、下流弁付勢用の弾性部材を内容物の貯留空間域の外上側に配設し、これにより当該貯留空間域の低身長化および容量確保化を図っている。
【背景技術】
【００１０】
従来、容器本体の内部空間域にバルブ付きのハウジングを配設する場合、容器本体の口部の下方に続く胴部の中まで配設されていた。すなわち、容器本体胴部の少なくとも上内部空間域までこのバルブ付きのハウジングが入り込んでいた。
【００１１】
そのため、透明な容器本体を用いる場合には、この上内部空間域のハウジング外周面などが利用者の目視対象となる。
【００１２】
透明な容器本体口部については、その外周面側に上述の不透明なキャップ，カバー体などが取り付けられるので、利用者からの目視対象とはならない。
【先行技術文献】
【特許文献】
【００１３】
【特許文献１】特開２００６−２８９３０２号公報
【発明の概要】
【発明が解決しようとする課題】
【００１４】
上述したように透明容器本体の口部にバルブ付きのハウジングをこれまでの位置関係でセットすると、容器本体胴部の少なくとも上内部空間域までこのバルブ付きのハウジングが入り込んでしまう。
【００１５】
そのため、透明な容器本体を用いる場合には、この上内部空間域のハウジング外周面などが利用者の目視対象となり、容器本体胴部の内側空間域全体のシンプル化や機能美化を損ねるという問題点があった。
【００１６】
また、上流弁として直径分の高さが必然的に生じるボール弁を用い、下流弁付勢用部材として高さゼロには設定できないコイルスプリングを用いているので、貯留空間域の容量を確保しつつの低身長化が難しいという問題点があった。
【課題を解決するための手段】
【００１７】
本発明は、以上の課題を次のようにして解決する。
（１）ハウジング（例えば後述のハウジング２）内部の上流弁（例えば後述の環状起立弁座２ａ，中央弁体８ａ）および下流弁（例えば後述の下流弁体５ｃ，下流弁座７ａ）の弁作用により容器本体の内容物が外部空間域に放出される内容物放出構造において、
前記容器本体は、
その中が外部から目視できる性状のもので、開口した口部（例えば後述の口部１ａ）およびこの下方に続く内容物収容用の胴部（例えば後述の胴部１ｂ）を備え、
前記ハウジングは、
その下側底面部分まで前記口部に配設された状態で取り付けられた、
構成態様のものを用いる。
（２）上記（１）において、
前記下流弁は、
前記上流弁と前記下流弁との間の内容物貯留空間域（例えば後述の貯留空間域Ａ）の外側に設定された弾性部材（例えば後述の内側コイルスプリング１０）でその閉状態に付勢される、
構成態様のものを用いる。
（３）上記（１），（２）において、
前記上流弁は、
板状の弾性部材（例えば後述の板状の上流弁８）である、
構成態様のものを用いる。
【００１８】
このような構成からなる内容物放出構造およびこれを用いたポンプ式製品を本発明の対象としている。
【発明の効果】
【００１９】
本発明は、以上の構成をとることにより、
(11)透明な容器本体の胴部内側空間域全体のシンプル化や機能美化を図り、
(12)貯留空間域の容量を確保しつつその低身長化を図る、
ことができる。
【図面の簡単な説明】
【００２０】
【図１】本発明のポンプ式製品の外観を示す説明図である。
【図２】本発明の内容物放出構造の静止モード（上流弁および下流弁がそれぞれ閉状態）の縦断面を示す説明図である。
【発明を実施するための形態】
【００２１】
図１および図２を用いて、本発明を実施するための形態を説明する。
【００２２】
以下のアルファベット付き参照番号の構成要素（例えば口部１ａ）は原則として、当該参照番号の数字部分の構成要素（例えば容器本体１）の一部であることを示している。
【００２３】
図１および図２において、
１は外部空間域への放出対象の香水や虫除け剤などの各種内容物を収容した透明な容器本体
１ａは容器本体１の上端部分であって後述のポンプキャップ１１が取り付けられる口部，
１ｂは容器本体１のいわば本体の下側部分で内容物の収容域を構成する胴部，
１ｃは口部１ａの下端部分と胴部１ｂの上端部分に形成された水平状態の環状連結部，
２はその内部空間域にポンプ機構としての後述の上流弁８（環状起立弁座２ａ＋中央弁体８ａ）および後述の下流弁７（下流弁体５ｃ＋下流弁座７ａ）を配設して保持するハウジング，
２ａは上流弁８を構成する環状起立弁座，
２ｂは後述の内容物吸上げ用のチューブ１４を取り付けるための下端側筒状部，
３は後述の外側ステム４と係合して上下動する放出ボタン，
３ａは放出ボタン３の出力側環状域の外側周面に係合状態で取り付けられて内容物流出経路を設定するノズルチップ，
３ｂはノズルチップ３ａの内容物流出域の前端側に設定された放出口，
３ｃは放出ボタン３の外側に嵌合してノズルチップ３ａの前面対向域が開口状態に設定され、金冠処理表面からなるボタンカバー，
をそれぞれ示している。
【００２４】
また、
４は放出ボタン３の流入側通路部に係合した筒状の外側ステム，
４ａは外側ステム４の内周面上下方向に周方向飛び飛びの態様で複数形成された内容物流出用の上側縦通路部，
４ｂは上側縦通路部４ａの上端側に周方向飛び飛びの状態で形成されて、後述の内側ステム５を係合保持するための環状片部，
４ｃは後述の下流弁７の上端内側の内側逆スカート状部７ｂが摺動する下端側内周面，
４ｄは後述の外側コイルスプリング９の上端部分を受ける環天井部，
４ｅはその下端で後述の内側コイルスプリング１０の上端部分を受けるリブ状部，
をそれぞれ示している。
【００２５】
また、
５は外側ステム４と係合状態で一体化した柱状の内側ステム，
５ａは内側ステム５の上端側外周面に形成されて外側ステム４の環状片部４ｂと係合し、内外ステムを一体化するための周方向の環凹状部，
５ｂは内側ステム５の下側外周面に周方向飛び飛びの態様で、それぞれ上下方向に形成されて後述の下流弁７の上側内周面と対向し、その全体が内容物通路として作用する下側縦通路部，
５ｃは後述の下流弁７の下流弁座７ａとの間で弁作用を呈する下流弁体，
６はハウジング２の上端内側空間域に係合配設され、上方に移動した後述の下流弁７の外側逆スカート状部７ｃに当接して、この下流弁といわば密接状態の下流弁弁体側の内側ステム５(およびこれと一体の外側ステム４)が抜けるのを阻止するステムホルダー，
６ａは後述の外側コイルスプリング９の下端部分を受ける外側段部，
をそれぞれ示している。
【００２６】
また、
７は外側ステム４と内側ステム５との間に摺動可能な状態で挟持され、ハウジング２との間のシール作用により後述の貯留空間域Ａを設定する環状の下流弁（弁座），
７ａは内側ステム５の下流弁体５ｃとの間で弁作用を呈する下流弁座，
７ｂは下流弁７の内側上端部分に形成されて外側ステム４の下端側内周面に密接する内側逆スカート状部，
７ｃは下流弁７の外側上端部分に形成されてハウジング２の内周面との密接作用を呈し、かつハウジング２とステムホルダー６との間の凹状部分に入り込んで上記ステムの抜け阻止作用を呈する外側逆スカート状部，
７ｄは下流弁７の外側下端部分に形成されてハウジング２の内周面との密接作用を呈し、これにより次回放出対象内容物の貯留空間域Ａを形成するスカート状部，
７ｅは後述の内側コイルスプリング１０の下端部分を受ける内側段部，
８はハウジング２の内底面部分に係合状態で取り付けられた板状の上流弁（弁体），
８ａは環状起立弁座２ａとの間で弁作用を呈する中央弁体，
８ｂは中央弁体の外側に複数形成された内容物通過用孔部，
をそれぞれ示している。
【００２７】
また、
９は環天井部４ｄと外側段部６ａとの間に設けられた放出ボタン復帰用の外側コイルスプリング，
１０はリブ状部４ｅと内側段部７ｅとの間に設けられた下流弁付勢用の内側コイルスプリング，
１１はハウジング２およびステムホルダー６を容器本体１の口部１ａに固定するためのポンプキャップ，
１２はポンプキャップ１１の外周面に当接態様で設けられ、ポンプキャップ下端の広がりを阻止してそれと口部１ａとの係止状態を確保する金冠処理表面からなるポンプカバー，
１３は口部１ａ，ハウジング２およびポンプキャップ１１の間に配設されて容器本体１の内容物へのシール作用を呈するに環状シール部材，
１４はハウジング２の下端側筒状部２ｂに取り付けられた内容物吸上げ用のチューブ，
をそれぞれ示している。
【００２８】
また、
Ａは上流弁および下流弁の周知の弁作用により次回の放出対象の内容物が容器本体１から流入して収容される貯留空間域，
Ｂは容器本体１の環状連結部１ｃの底面部分とハウジング２（下端側筒状部２ｂを除く）のそれとの略面一状態，
をそれぞれ示している。
【００２９】
ここで、容器本体１は例えばガラス製またはポリエチレンテレフタレート，ポリエチレンナフタレートなどのプラスチック製のものである。
【００３０】
また、ハウジング２，ボタンカバー３ｃを除く放出ボタン３，外側ステム４，内側ステム５，ステムホルダー６，下流弁７，上流弁８，ポンプキャップ１１およびチューブ１４は例えばポリプロピレン，ポリエチレン，ポリアセタール，ナイロン，ポリブチレンテレフタレートなどからなるプラスチック製のものである。
【００３１】
また、ボタンカバー３ｃ，外側コイルスプリング９，内側コイルスプリング１０およびポンプカバー１２は例えばプラスチック製または金属製のものである。環状シール部材１３は例えばポリプロピレン，ポリエチレンなどからなるプラスチック製や、ゴム製またはエラストマー製のものである。
【００３２】
図示のポンプ式製品の基本的特徴は、
(21)容器本体１として透明なものを用い、ハウジング２（下端側筒状部２ｂを除く）の底面部分の位置を、容器本体１の環状連結部１ｃの底面部分に略面一状態とし、
(22)上流弁に平板形状の中央弁体８ａを用いて、上流弁の上下方向の長さを短くし、
(23)外側ステム４および内側ステム５を静止モードに復帰させるための外側コイルスプリング９を、貯留空間域Ａではなく下流弁上方の外側ステム４の外周部に設けることで、外側コイルスプリング９が内容物に触れないようにするとともに、外側ステム４および内側ステム５が最下端まで移動して圧縮状態となった外側コイルスプリング９が貯留空間域Ａを占有しないようにして、最小状態となった貯留空間域Ａの上下方向の長さを短くした、
などのことである。
【００３３】
これにより、図１に示すように内容物放出構造のハウジング部分が容器本体１の口部１ａおよび胴部１ｂの厚み部分に隠れるので、利用者からはチューブ１４（および下端側筒状部２ｂ）と内容物のみが容器本体１の胴部１ｂを透過して観察され、美観に優れたポンプ式製品になる。
【００３４】
図２は、内容物放出構造の静止モード（上流弁および下流弁がそれぞれ閉状態）の縦断面を示している。
【００３５】
この状態から放出ボタン３を外側コイルスプリング９に抗して押し下げると、これに連動するステムホルダー６および下流弁７がハウジング２の内部を下に移動する。この時、貯留空間域Ａが縮小し、その中の内容物の圧力が高まりにより、下流弁７が内側コイルスプリング１０に抗し上動して下流弁体５ｃと下流弁座７ａが離間し、下流弁７は開状態となる。上流弁８は貯留空間域Ａの圧力により中央弁体８ａが環状起立弁座２ａに押し付けられて閉状態になる。そして、貯留空間域Ａの内容物が下流弁７から外側ステム４および放出ボタン３の内部を通って、放出口３ｂより放出される（作動モード）。
【００３６】
その後、放出ボタン３を離すと、外側コイルスプリング９の復帰力で外側ステム４，内側ステム５が上動する。貯留空間域Ａが拡張するのでその中の内容物の圧力が下がり、その負圧と内側コイルスプリング１０の付勢力の作用で、下流弁７が内側ステム５に対し下動して下流弁体５ｃと下流弁座７ａが密接し、下流弁７は閉状態となる。その後、外側ステム４，内側ステム５および下流弁７は一体となって上動する。この時、貯留空間域Ａの負圧化により中央弁体８ａが環状起立弁座２ａより上動して上流弁８は開状態となり、チューブ１４より容器本体１の内容物が貯留空間域Ａに流入する。この内容物が次回の放出操作で放出される。
【００３７】
外側ステム４，内側ステム５および下流弁７は、下流弁７の外側逆スカート状部７ｃがステムホルダー６に当接するまで上動して静止モードに復帰する。
【００３８】
図２の内容物放出構造の組立て手順は、例えば、
(31)ハウジング２の内部に上流弁８を係合する、
(32)内側ステム５の上端側から、下流弁７，ステムホルダー６，内側コイルスプリング１０および外側コイルスプリング９を順に通し、それを外側ステム４の下端側から通して係合する、
(33)この、外側ステム４などをハウジング２の上端側から差し込んで、ハウジング２の上部にポンプキャップ１１を係合する、
(34)放出ボタン３の基部に，ボタンカバー３ｃを上側から被せて、ノズルチップ３ａをボタンカバー３ｃの周面の穴を通し前方から差し込んで係合する、
(35)外側ステム４に放出ボタン３を係合し、ハウジング２の下端側から環状シール部材１３を通し、
(36)下端側筒状部２ｂにチューブ１４を差し込む、
といった手順となる。
【００３９】
図１および図２のポンプ式製品の組立て手順は、例えば、内容物を充填した容器本体１の口部１ａに、内容物放出構造のポンプキャップ１１を被せ、ポンプカバー１２を被せる、といった手順となる。
【００４０】
ポンプカバー１２は、容器本体１に取り付ける前の内容物放出構造のポンプキャップ１１の上端部に仮固定しておいてもよい。
【００４１】
以上の内容物放出構造を備えたポンプ式製品としては、香水の他、洗浄剤，清掃剤，制汗剤，忌避剤，殺虫剤，医薬品，医薬部外品，化粧品，洗濯のりなどの各種用途のものがある。
【００４２】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００４３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００４４】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００４５】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００４６】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００４７】
高分子化合物としては、ヒドロキシエチルセルロース，メチルセルロース，ゼラチン，デンプン，カゼイン，キサンタンガム，カルボキシビニルポリマーなどを用いる。
【００４８】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００４９】
さらに、上記内容物以外の、懸濁剤，乳化剤，酸化防止剤，金属イオン封鎖剤なども用いることができる。
【符号の説明】
【００５０】
１：容器本体(透明)
１ａ：口部
１ｂ：胴部
１ｃ：環状連結部
２：ハウジング
２ａ：環状起立弁座
２ｂ：下端側筒状部
３：放出ボタン
３ａ：ノズルチップ
３ｂ：放出口
３ｃ：ボタンカバー
【００５１】
４：外側ステム
４ａ：上側縦通路部
４ｂ：環状片部
４ｃ：下端側内周面
４ｄ：環天井部
４ｅ：リブ状部
【００５２】
５：内側ステム
５ａ：環凹状部
５ｂ：下側縦通路部
５ｃ：下流弁体
６：ステムホルダー
６ａ：外側段部
【００５３】
７：環状の下流弁（弁座）
７ａ：下流弁座
７ｂ：内側逆スカート状部
７ｃ：外側逆スカート状部
７ｄ：スカート状部
７ｅ：内側段部
８：板状の上流弁（弁体）
８ａ：中央弁体
８ｂ：内容物通過用孔部
【００５４】
９：外側コイルスプリング
１０：内側コイルスプリング
１１：ポンプキャップ
１２：ポンプカバー
１３：環状シール部材
１４：チューブ
【００５５】
Ａ：貯留空間域
Ｂ：環状連結部１ｃおよびハウジング２の各底面部分の略面一状態
【図１】
2020117256.tif 000003
【図２】
2020117256.tif 000004